(57)【要約】【課題】強化段ボール板からなる展開シートの底板、側板および妻板を、簡単かつ強固に箱状に組み立て、かつ、一旦組み立てた後でも簡単に展開状態に戻せるようにする。【解決手段】段ボール棺１０は、展開シートをＶ溝に沿って折り曲げて底板１２Ａ、側板１２Ｂおよび妻板１２Ｃを含む箱状の棺本体１２が組み立てられる。側板１２Ｂ，１２Ｂは、底板１２Ａに対してほぼ垂直に折り曲げられて矩形の板面を形成し、妻板１２Ｃは、底板１２Ａに対してほぼ垂直に折り曲げられる底妻部１２Ｃａと、左右の側板１２Ｂ，１２Ｂに対してほぼ垂直に折り曲げられる側妻部１２Ｃｂ，１２Ｃｂとが互いに隣接して矩形の板面を形成する。妻板１２Ｃには、底妻部１２Ｃａと左右の側妻部１２Ｃｂ，１２Ｃｂの前後方向の展開をロックし、かつ、側妻部１２Ｃｂ，１２Ｃｂの左右方向の展開をロックする落とし錠部材１５が落とし込まれる。【選択図】図３
2008272135.tif 000002
【特許請求の範囲】
【請求項１】
強化段ボール板からなる展開シートをＶ溝に沿って折り曲げることにより組み立てられる段ボール棺であって、
矩形の底板と、
この底板の左右に対向して設けられる矩形の側板と、
前記底板の前後に対向して設けられる矩形の妻板とを備え、
前記側板は、前記底板に対して前記Ｖ溝に沿ってほぼ垂直に折り曲げられて矩形の板面を形成し、
前記妻板は、前記底板に対して前記Ｖ溝に沿ってほぼ垂直に折り曲げられる底妻部と、前記左右の側板に対して前記Ｖ溝に沿ってほぼ垂直に折り曲げられる左右の側妻部とが互いに隣接して矩形の板面を形成するものであり、
前記妻板には、前記妻板の上方から下方に向けて着脱可能に落とし込まれる部材であって、前記妻板の外側および内側の板面に摺接して前記底妻部および前記左右の側妻部の前後方向への展開をロックし、かつ、前記左右の側妻部の所定箇所に上下方向に噛み合って、前記左右の側妻部の左右方向への展開をロックする落とし錠部材が設けられることを特徴とする組立式段ボール棺。
【請求項２】
請求項１記載の組立式段ボール棺であって、
前記落とし錠部材が、
前記妻板の外側面に摺接可能な外板部と、
前記妻板の内側面に摺接可能な内板部と、
前記外板部と前記内板部の上端に架け渡される架橋板部と、
前記外板部と前記内板部との間に設けられ、前記妻板に前記落とし錠部材を落とし込むときに、前記左右の側妻部の上端に開放した左右の縦スリットに差し込まれる左右のロック片とを備える、組立式段ボール棺。
【請求項３】
請求項２記載の組立式段ボール棺であって、
前記妻板には、前記左右の側妻部の間の隙間を通して前記底妻部の上端に開放する中央縦スリットを設ける一方、前記落とし錠部材には、前記外板部と前記内板部との間で前記左右のロック片よりも下方位置に設けられて、前記中央縦スリットに差し込まれる中央ロック片を設ける、組立式段ボール棺。
【請求項４】
請求項１〜３のいずれか一項記載の組立式段ボール棺であって、
前記底妻部および前記左右の側妻部とが、前記妻板の左右の下端角部を分断して中央側に向けて上向き傾斜する境界線で分断され、前記底妻部の左右に前記左右の側妻部が前記境界線を隔てて互いに隣接するものである、組立式段ボール棺。
【請求項５】
請求項１〜４のいずれか一項記載の組立式段ボール棺であって、
前記底妻部および前記左右の側妻部には、これらの隣接部分の一方の板面に連なって突出するパズルピース片と、
当該隣接部分の他方の板面に切り欠かれて開口し、前記パズルピース片に嵌合するパズルピース嵌合部とが設けられる、組立式段ボール棺。
【発明の詳細な説明】
【技術分野】
【０００１】
本考案は、組立式段ボール棺に関するもので、詳しくは、強化段ボール板からなる展開シートを折り曲げて組み立てられる組立式段ボール棺に関するものである。
【背景技術】
【０００２】
従来より、木製棺に代わる棺として段ボール棺が知られている。段ボール棺は、木製棺に比べ軽量で燃焼性に優れ、段ボール板の折り曲げ加工により簡単に組み立てることができるため、環境に優しい葬送品として注目されている。
【０００３】
従来の組立式段ボール棺を図１７および図１８に示した。
段ボール棺１は、棺本体２と蓋３とが強化段ボール板により形成されている。これらのうち棺本体２は、強化段ボール板からなる展開シートＰ0（図１６参照）を折り曲げて箱状に組み立てられる。
【０００４】
図１８に示すように、展開シートＰ0は、矩形の底板２Ａの左右に側板２Ｂ，２Ｂが設けられ、底板２Ａの前後に妻板２Ｃ，２Ｃが設けられる。底板２Ａの各辺には、側板２Ｂおよび妻板２Ｃとの境界に沿ってほぼ９０゜角でＶ字状にカットされた折曲げ用の縦Ｖ溝ｙ0、横Ｖ溝ｘ0が形成されている。図１６の状態から底板２Ａに対し側板２Ｂと妻板２Ｃを垂直に折り曲げ、これらのＶ溝面を接着剤で貼り合わせて図１７に示す箱状の棺本体２を組み立てる。
なお、側板２Ｂおよび妻板２Ｃの先端でＷ溝（ほぼ９０゜角にカットされたＶ溝を２列に並設して形成した溝）に沿って折り返される枠板２Ｄは、棺本体２の開口部を補強するためのものである。
【０００５】
その他、組立式段ボール棺の先行技術としては、特許文献１および２等が開示されている。
【０００６】
【特許文献１】特開２０００−４２０６４号公報
【特許文献２】特開２００５−１８７０４９号公報
【発明の開示】
【発明が解決しようとする課題】
【０００７】
しかしながら、上記のような従来の組立式段ボール棺の構成では、棺本体２を組み立てる場合、展開シートＰ0の各Ｖ溝面を接着剤で貼り合わせて固定するため、接着剤の種類や塗布の量によっては棺本体２の強度・耐荷重性が不十分になるおそれがある。
また、接着剤を塗布して乾燥させるまでに時間がかかるため、棺本体２を組み立てて完成させるまでの時間が長くなり、緊急時に素早く段ボール棺を組み立てて使用するといったニーズに対応しづらくなっている。
【０００８】
これに対し、特許文献２に開示されるように、展開シートの側板１２にフック部３３を設けて、妻板（Ｃ側板１６，Ｄ側板１７）の切欠部４８に挿入する構造の組立式段ボール棺も存在している。
この種の段ボール棺では、側板と妻板との結合時に、切欠内部の返し部分（ロック部４９）にフック部３３がロックされるため、これらの板の間の結合強度を高めることができる。
【０００９】
ところが、このような組立式段ボール棺のフック構造においては、妻板の切欠部に側板のフック部を一旦噛み合わせると、フック部が切欠部の返し部分から外れなくなるため、側板と妻板とを再度分解することができなくなる。このため、個数を誤って組み立ててしまった場合などに、元の展開状態に戻すことができずに、廃棄するか、箱形状のまま嵩張った状態で保管・運搬するというような不都合が起こりうる。
【００１０】
本発明は、このような現状に鑑みなされたもので、強化段ボール板からなる展開シートの底板、側板および妻板を、接着剤を用いることなく、簡単かつ強固に箱状に組み立てることを可能にし、しかも、一旦組み立てた後でも簡単に展開状態に戻せるようにした組立式段ボール棺を提供することを目的としている。
【課題を解決するための手段】
【００１１】
［第１発明］
前記課題を解決するための本発明の組立式段ボール棺は、
強化段ボール板からなる展開シートをＶ溝に沿って折り曲げることにより組み立てられる段ボール棺であって、
矩形の底板と、
この底板の左右に対向して設けられる矩形の側板と、
前記底板の前後に対向して設けられる矩形の妻板とを備え、
前記側板は、前記底板に対して前記Ｖ溝に沿ってほぼ垂直に折り曲げられて矩形の板面を形成し、
前記妻板は、前記底板に対して前記Ｖ溝に沿ってほぼ垂直に折り曲げられる底妻部と、前記左右の側板に対して前記Ｖ溝に沿ってほぼ垂直に折り曲げられる左右の側妻部とが互いに隣接して矩形の板面を形成するものであり、
前記妻板には、前記妻板の上方から下方に向けて着脱可能に落とし込まれる部材であって、前記妻板の外側および内側の板面に摺接して前記底妻部および前記左右の側妻部の前後方向への展開をロックし、かつ、前記左右の側妻部の所定箇所に上下方向に噛み合って、前記左右の側妻部の左右方向への展開をロックする落とし錠部材が設けられる構成とした。
【００１２】
本発明の段ボール棺を組み立てる場合、展開シートの底板、側板および妻板を各Ｖ溝に沿ってほぼ垂直に折り曲げて箱体を形成する。
例えばまず、底板の左右両端で側板を折り曲げて、底板に対して垂直な側板の板面を形成する。次いで、底板の前後両端で底妻部を折り曲げ、左右の側板の前後両端で左右の側妻部を折り曲げる。そして、底妻部と左右の側妻部とを隣接（合体）させて底板および側板に対して垂直な妻板の板面を形成する。
このような状態で、妻板に上方から下方に向けて落とし錠部材を落とし込むと、底妻部と左右の側妻部とが妻板の前後方向および左右方向にロックされ、底板、側板および妻板からなる箱形状が固定される。
【００１３】
一旦組み立てた箱体を元の状態に展開状態に戻すときには、妻板から落とし錠部材を上方に引き抜くと、底妻部および左右の側妻部のロックが解除される。その後、底妻部および左右の側妻部をそれぞれ分離させて各Ｖ溝を展開すると、底板、側板および妻板が元の展開シートの状態に戻る。
【００１４】
このように本発明の構成によれば、展開シートを箱状に折り曲げた後で、落とし錠部材により底妻部および左右の側妻部の折り曲げ状態をロックすることで、底板、側板および妻板を含む箱体を簡単かつ強固に組み立てることができる。
また、妻板から落とし錠部材を引き抜けば、底板、側板および妻板からなる箱体を、元の展開シートに簡単に戻すことができる。
これにより、必要な時に迅速かつ強固に展開シートから箱体を組み立てることができ、かつ、不要時には直ぐに元の展開シートに戻せる使い勝手の良い組立式段ボール棺を実現することができる。
【００１５】
［第２発明］
第２発明による組立式段ボール棺は、前記第１発明の構成を備えるものであって、
前記落とし錠部材が、
前記妻板の外側面に摺接可能な外板部と、
前記妻板の内側面に摺接可能な内板部と、
前記外板部と前記内板部の上端に架け渡される架橋板部と、
前記外板部と前記内板部との間に設けられ、前記妻板に前記落とし錠部材を落とし込むときに、前記左右の側妻部の上端に開放した左右の縦スリットに差し込まれる左右のロック片とを備える構成とした。
【００１６】
このような構成によれば、妻板に落とし錠部材を落とし込むと、落とし錠部材の外板部と内板部が妻板の板面を挟み込んで、その底妻部および左右の側妻部の前後方向の展開をロックする。同時に、落とし錠部材の左右のロック片が、左右の側妻部の縦スリットに嵌ってその左右方向の展開をロックする。
これにより、落とし錠部材による底妻部および左右の側妻部の前後方向および左右方向のロックを強固かつ確実に行うことができる。
また、板状の部品を組み合わせて落とし錠部材を簡単に作製することができ、段ボール棺の製造コストの節約を図ることも可能になる。
【００１７】
［第３発明］
第３発明による組立式段ボール棺は、前記第２発明の構成を備えるものであって、
前記妻板には、前記左右の側妻部の間の隙間を通して前記底妻部の上端に開放する中央縦スリットを設ける一方、前記落とし錠部材には、前記外板部と前記内板部との間で前記左右のロック片よりも下方位置に設けられて、前記中央縦スリットに差し込まれる中央ロック片を設ける構成とした。
【００１８】
このような構成によれば、妻板に落とし錠部材を落とし込む際に、左右のロック片に加えて中央ロック片が底妻部の中央縦スリットに差し込まれるため、底妻部が左右方向にズレにくくなり、落とし錠部材による固定強度がさらに向上する。
【００１９】
また、中央縦スリットに中央ロック片を位置合わせすれば、左右の縦スリットに対して左右のロック片を位置決めすることができるため、妻板に落とし錠部材を落とし込む作業が行いやすくなる。
【００２０】
［第４発明］
第４発明による組立式段ボール棺は、前記第１〜３発明のいずれかの構成を備えるものであって、
前記底妻部および前記左右の側妻部とが、前記妻板の左右の下端角部を分断して中央側に向けて上向き傾斜する境界線で分断され、前記底妻部の左右に前記左右の側妻部が前記境界線を隔てて互いに隣接する構成とした。
【００２１】
第１発明の構成において、仮に、底妻部と側妻部とを矩形に形成して上下２段に分けて配置する場合には、妻板の左右の側端に底妻部の切れ目が現れる。このため、このような切れ目の部分で板ズレが生じて段ボール棺の見栄えが悪くなったり、また、妻板の側端の強度が低下するおそれがある。
【００２２】
第４発明の構成によれば、底妻部と側妻部と境界が、妻板の左右の下端角部を分断する方向に延びるため、妻板の左右の側端に底妻部の切れ目が現れない。すなわち、底板に対して底妻部を折り曲げるＶ溝と、左右の側板に対して左右の側妻部を折り曲げるＶ溝とが、妻板の下辺および左右の両辺に切れ目なく連なることになる。
これにより、段ボール棺の寸法精度を高めてその見栄えを良好にし、妻板の側端の強度を良好に保つことができる。
また、このような構成によれば、妻板部と左右の底板部との合体時に、底妻部の左右両側に左右の側妻部が傾斜方向から隣接するため、底妻部の左右の動きを左右の側妻部で止めることができる。このため、底妻部の固定位置が安定し、落とし錠部材による固定強度をさらに高めることも可能になる。
【００２３】
［第５発明］
第５発明による組立式段ボール棺は、前記第１〜４発明のいずれかの構成を備えるものであって、
前記底妻部および前記左右の側妻部には、これらの隣接部分の一方の板面に連なって突出するパズルピース片と、
当該隣接部分の他方の板面に切り欠かれて開口し、前記パズルピース片に嵌合するパズルピース嵌合部とが設けられる構成とした。
【００２４】
第１発明の構成において、妻板に落とし錠部材を差し込む作業は、展開シートを各Ｖ溝に折り曲げて箱状に保った状態で行う必要がある。すなわち、妻板に落とし錠部材を差し込む前に、作業者は、左右の側板を垂直に折り曲げ、さらに底妻部と左右の側妻部と垂直に折り曲げてこれらの板面を同一平面上に保持しておかなければならない。
このため、このような作業を単独で行う場合には、底妻部と左右の側妻部との板面がズレたりバラけるなどして妻板に落とし錠部材を落とし込む作業がスムーズに進まないことが想定される。
【００２５】
第５発明の構成によれば、展開シートを各Ｖ溝に折り曲げて箱状に保った状態で、底妻部と左右の底妻部との隣接部分でパズルピース片とパズルピース嵌合部と嵌め合わせることで、展開シートの箱形状を仮止め（仮固定）することができる。
これにより、展開シートを各Ｖ溝に折り曲げて箱状に保つ作業と、これらの妻部に落とし錠部材を上方から落とし込む作業とを別個に独立して行うことが可能になり、単独の作業者でも簡単に段ボール棺を組み立てることが可能になる。
【００２６】
［第１〜５発明］
第１〜５発明は、強化段ボールからなる展開シートを折り曲げて箱体を組み立てる段ボール棺に適用することができる。通常は、段ボール棺の棺本体と蓋のうち、箱状の棺本体に本発明を適用されることが想定されるが、蓋体が箱状になっている場合には、段ボール棺の蓋に本発明を適用することができる。
段ボール棺の用途（人用、ペット用等）や種類（寝棺、座棺等）は、特に限定されることはない。
【００２７】
なお、第１〜５発明は、単独で適用してもよいし、これらの発明を必要に応じて組み合わせて適用することもできる。また、第１〜５発明に本明細書に記載される他の発明を組み合わせてもよい。
【発明を実施するための最良の形態】
【００２８】
以下、本発明の実施形態を図面に基づいて説明する。
本実施形態の組立式段ボール棺は、棺本体と蓋とを組み合わせてなるもので、箱状の棺本体に本発明が適用される。
【００２９】
［第１実施形態］
図１に示すように、段ボール棺１０は、棺本体１２と蓋１３とからなる。棺本体１２の上方に蓋１３が載置される。蓋１３の片寄りの位置には、窓枠１４が設けられる。この窓枠１４には観音扉が取り付けられ、これらの扉を開くことで棺の内部が覗けるようになっている。
段ボール棺１０の寸法は、例えば長さが１７０〜２００ｃｍ程度、幅が５０〜７０ｃｍ程度、棺本体１２と蓋１３を含めた高さが４０〜５０ｃｍ程度である。
【００３０】
棺本体１２および蓋１３は、強化段ボール板により形成される。強化段ボール板としては、例えば、板厚１０〜２０ｍｍ程度の三層強化段ボール材（例えばトライウォール社製）が採用される。この種の段ボール板は、図２のＲ部分拡大図に示すように、２枚の厚板（ライナー）Ｒb，Ｒfとの間に、３層の波板ｒ1〜ｒ3が仕切り板ｒ4およびｒ5を介して積層されてなるもので、優れた耐圧性・耐水性をもつ。
段ボール板に折曲げ用のＶ溝を形成する際には、これらの層のうち厚板Ｒf，Ｒbのいずれかを残して他の層を回転刃等を用いて切削する。段ボール板を折り曲げる際には、残した片方の厚板（ライナー）のみを折り曲げて、Ｖ溝の傾斜する溝面を互いに密着させる。Ｖ溝の溝角がほぼ９０゜になるようにＶ溝加工を施せば、隣り合う板同士がほぼ垂直に折れ曲がる。また他のＶ溝の形成方法としては、プレス機等で段ボール板を断面Ｖ字状に圧縮してもよい。
【００３１】
段ボール棺１０の表面には、必要に応じて布やフィルムなどの化粧シートが貼り付けられる。このような化粧仕上げ施すことで、段ボール棺１０の質感が高められる。
【００３２】
図１に示すように、棺本体１２には、矩形の底板１２Ａと、この底板１２Ａの左右に向き合う矩形の側板１２Ｂ，１２Ｂと、底板１２Ａの前後に向き合う矩形の妻板１２Ｃ，１２Ｃとが設けられている。側板１２Ｂ，１２Ｂと妻板１２Ｃ，１２Ｃの上部には、棺本体１２の内側に折り返される補強用の枠板１２Ｄが設けられる。
棺本体１２の上端は、一定の高さで水平に保たれ、蓋１３をほぼ水平に保つようになっている。
【００３３】
図３に示すように、妻板１２Ｃは、底板１２Ａに対してほぼ垂直上向き折り曲げられる底妻部１２Ｃａと、側板１２Ｂ，１２Ｂに対してほぼ垂直内向き折り曲げられる左右の側妻部１２Ｃｂ，１２Ｃｂとからなる。底妻部１２Ｃａの上方に左右の側妻部１２Ｃｂ，１２Ｃｂが隣接して妻板１２Ｃの垂直な板面をなす。
妻板１２Ｃには、底妻部１２Ｃａと側妻部１２Ｃｂ，１２Ｃｂを固定するための落とし錠部材１５が落とし込まれる。
【００３４】
底妻部１２Ｃａと左右の側妻部１２Ｃｂ，１２Ｃｂとの境界線は、妻板１２Ｃの下端の左右角部をほぼ４５゜角で分断するように中央側に向けて上向きに傾斜する（図４参照）。これにより、底妻部１２Ｃａの形状は、妻板１２Ｃの下端を含む等辺三角形状になり、側妻部１２Ｃｂ，１２Ｃｂの形状は、側板１２Ｂ，１２Ｂの側端を含む直角三角形状になっている。そして、底妻部１２Ｃａの傾斜する等しい二辺の上に、側板１２Ｂ，１２Ｂのそれぞれ傾斜する二辺が隣接して、妻板１２Ｃの垂直な板面が同一平面上に連なる。
【００３５】
このように妻板１２Ｃを傾斜する境界線で分断することで、底妻部１２Ｃａの切れ目が妻板１２Ｃの左右側端に現れることがない。つまり、底妻部１２Ｃａと側妻部１２Ｃｂ，１２Ｃｂを折り曲げるためのＶ溝が、妻板１２Ｃの下端および左右側端に沿って途切れることなく直線上に連なることになる。
これにより、妻板１２Ｃの寸法精度を高まって棺本体１２の見栄えがよくなり、妻板１２Ｃの側端の強度が高められる。
また、左右の側妻部１２Ｃｂ，１２Ｃｂにより底妻部１２Ｃａの左右方向の動きを止めることができるため、落とし錠部材１５による底妻部１２Ｃａの固定位置が安定する。
【００３６】
底妻部１２Ｃａと左右の側妻部１２Ｃｂ，１２Ｃｂとの隣接部分には、パズルピース片１２ｐと、パズルピース嵌合部１２ｈとが設けられる。パズルピース片１２ｐは、左右の側妻部１２Ｃｂ，１２Ｃｂの傾斜辺から底妻部１２Ｃａに向けて延び、底妻部１２Ｃａの傾斜辺に切り欠かれたパズルピース嵌合部１２ｈに嵌まる。パズルピース片１２ｐとパズルピース嵌合部１２ｈの根元付近は、両端から内向きに湾曲状にくびれており、これらのくびれ部分が引っ掛かって両者の係合状態を保つ。
【００３７】
図５に示すように、落とし錠部材１５は、その基本的な構成部品として、外板部１５Ａおよび内板部１５Ｂを備えている。外板部１５Ａと内板部１５Ｂの上端に架橋板部１５Ｃが架け渡されて、これらの断面が下向きコ字状に形成されている。
【００３８】
外板部１５Ａと内板部１５Ｂとの間には、妻板１２Ｃの板厚とほぼ等しい幅の隙間が保たれており、この隙間に３つのロック片１５Ｆ，１５Ｆ，１５Ｇが固定される。各ロック片は、架橋板部１５Ｃの直下から下向きに一定幅で帯状に延びる。架橋板部１５Ｃの左右の所定位置にロック片１５Ｆ，１５Ｆが配置され、これらのロック片１５Ｆ，１５Ｆの中間位置に中央ロック片１５Ｇが配置される。左右のロック片１５Ｆ，１５Ｆの長さはほぼ等しく、中央ロック片１５Ｇの長さは、左右のロック片１５Ｆ，１５Ｆよりも長い。中央ロック片１５Ｇの先端は、左右のロック片１５Ｆ，１５Ｆよりも下方位置まで延びる。
【００３９】
中央ロック片１５Ｇの先端形状については、下方に向けて先細り状になっている。これにより、後述するように、中央縦スリットＳ２に中央ロック片１５Ｇを差し込むときに、これらの位置決めが行いやすくなっている。
【００４０】
図４に示すように、妻板１２Ｃ，１２Ｃの上端には、落とし錠部材１５のロック片１５Ｆ，１５Ｆ，１５Ｇに対応する位置に、３つの縦スリットＳ１，Ｓ１，Ｓ２が開放している。これらのうち左右の縦スリットＳ１，Ｓ１は、左右の側妻部１２Ｃｂ，１２Ｃｂに上端部に切り込まれる。一方、中央縦スリットＳ２は、左右の側妻部１２Ｃｂ，１２Ｃｂの間を通して底妻部１２Ｃａに切り込まれる。
妻板１２Ｃの上方から落とし錠部材１５を落とし込むと、各ロック片１５Ｆ，１５Ｆ，１５Ｇが各縦スリットＳ１，Ｓ１，Ｓ２に差し込まれることになる。
【００４１】
左右の側妻部１２Ｃｂ，１２Ｃｂの上端部には、段差部Ｒ１およびＲ２が設けられている。段差部Ｒ１およびＲ２は、妻板１２Ｃの上端を所定の幅および深さで切り欠いて形成される。
段差部Ｒ１の左右長さは、落とし錠部材１５の幅にほぼ一致し、その段差は架橋板部１５Ｃの板厚に等しい。これにより、妻板１２Ｃに落とし錠部材１５を落とし込むと、棺本体１２の上端と落とし錠部材１５の上端とが一致する。
また、段差部Ｒ２は、中央ロック片１５Ｇの幅よりも広い幅で中央縦スリットＳ２の上方に形成されるもので、妻板１２Ｃに落とし錠部材１５を落とし込むときに、中央縦スリットＳ２に中央ロック片１５Ｇの先端を合わせやすくする役割を果たす。
【００４２】
次に、棺本体１２を組み立てるための展開シートＰ1を図６に示した。
展開シートＰ1には、矩形の底板１２Ａの左右に側板１２Ｂ，１２Ｂが設けられ、底板１２Ａの前後に底妻部１２Ｃａ，側板１２Ｂ，１２Ｂの前後に側妻部１２Ｃｂ，１２Ｃｂが設けられる。
底板１２Ａと側板１２Ｂ，１２Ｂとの境界に沿って縦Ｖ溝ｙ1，ｙ1が形成される。底板１２Ａと底妻部１２Ｃａとの境界には、横Ｖ溝ｘ1，ｘ1が形成され、この横Ｖ溝ｘ1，ｘ1が左右に延長されて側板１２Ｂ，１２Ｂと側妻部１２Ｃｂ，１２Ｃｂとの境界をなしている。
縦Ｖ溝ｙ1，ｙ1および横Ｖ溝ｘ1，ｘ1は、展開シートＰ1にほぼ９０゜角で形成される。展開シートＰ1は、これらのＶ溝に沿ってほぼ垂直に折り曲げられることになる。
【００４３】
展開シートＰ1の左右両端部には、枠板１２Ｄを板幅を確保してＷ溝（ほぼ９０゜角にカットされたＶ溝を２列に並設して形成した溝）が形成される。このＷ溝により枠板１２Ｄを折り返すと、図６に示すように、側板１２Ｂ，１２Ｂおよび側妻部１２Ｃｂ，１２Ｃｂの端部に枠板１２Ｄが重なる。
【００４４】
なお、展開シートＰ1の前後の先端形状については、底妻部１２Ｃａと左右の側妻部１２Ｃｂ，１２Ｃｂとの先端が同一直線上に揃うように形成されている。これは、矩形の段ボール原板から展開シートＰ1を作製する際に、底妻部１２Ｃａと側妻部１２Ｃｂ，１２Ｃｂと外形端を直線方向に１カットで切断可能にし、その加工作業を簡略化するためである。また、このように各妻部の先端を同一直線上に揃えることで、段ボール原板から生じる端切れ材が少なくなり、段ボール材の節約を図ることが可能になる。
【００４５】
落とし錠部材１５についても、展開シートＰ1と同様の厚みの強化段ボール板を用いて作製される。
例えば、矩形の段ボール板を準備し、この板の片面に外板部１５Ａ、架橋板部１５Ｃ、および内板部１５Ｂを折り曲げるためのＶ溝を加工する。これとは別に、妻板１２Ｃと同様な厚さの段ボール板を、縦スリットＳ１，Ｓ２のサイズに合わせて短冊状に切断してロック片１５Ｆ，１５Ｆおよび１５Ｇを形成する。
各部品を揃えた後、外板部１５Ａ、架橋板部１５Ｃ、および内板部１５Ｂを各Ｖ溝に沿ってコの字状に折り曲げ、これらの間にロック片１５Ｆ，１５Ｆおよび１５Ｇを挟んで接着剤で貼り付ける。
【００４６】
このような製法によれば、板状の部品を組み合わせて落とし錠部材１５を簡単に作製することができ、段ボール棺１０の製造コストの節約を図ることが可能になる。落とし錠部材１５は、段ボール板３枚分の厚さでコンパクトに形成されるため、妻板１２Ｃ付近の外観が不格好になることもない。
また、展開シートＰ1と同じ段ボール板で落とし錠部材１５で形成することで、棺本体１２の材質が統一され、段ボール棺としての利点が損われない。
さらに、外板部１５Ａと内板部１５Ｂとの間に各ロック片１５Ｆ，１５Ｆおよび１５Ｇを挟持することで、これらのロック片１５Ｆ，１５Ｆおよび１５Ｇが外板部１５Ａと内板部１５Ｂとの間隔を保つ支持部材となる。これにより、落とし錠部材１５の寸法精度が良好になって妻板１２Ｃへの落とし込み操作が行いやすくなり、かつ、落とし錠部材１５の構造的な強度を高めることができる。
【００４７】
棺本体１２を組み立てる場合、まず、展開シートＰ1の左右の枠板１２Ｄ，１２ＤをＷ溝に沿って折り返す（図６参照）。
この状態から図７矢印に示すように、底板１２Ａの左右で側板１２Ｂ，１２Ｂを縦Ｖ溝ｙ1，ｙ1に沿って折り曲げ、底板１２Ａの前後で横Ｖ溝ｘ1，ｘ1に沿って底妻部１２Ｃａを折り曲げ、同時に側板１２Ｂ，１２Ｂの前後で横Ｖ溝ｘ1，ｘ1に沿って側妻部１２Ｃｂ，１２Ｃｂを折り曲げる。
そして、底妻部１２Ｃａと側妻部１２Ｃｂ，１２Ｃｂの隣接部分において、パズルピース片１２ｐをパズルピース嵌合部１２ｈに嵌め合わせる（図８参照）。
これにより、図８に示すように、妻板１２Ｃの板面が同一平面上に連なって、底妻部１２Ｃａの上端に側妻部１２Ｃｂ，１２Ｃｂの下端が載った状態で箱形状が仮固定される。
【００４８】
なお、展開シートＰ1の折曲げ順序については、上記に限定されることなく、先に側妻部１２Ｃｂ，１２Ｃｂを折り曲げてから、側板１２Ｂ，１２Ｂを折り曲げるようにしてもよい。展開シートＰ1から図８に示すように妻板１２Ｃが仮止めされた状態になればその順序は問わない。
【００４９】
このように底妻部１２Ｃａと側妻部１２Ｃｂ，１２Ｃｂを仮止めした状態で、図８および図９に示すように、妻板１２Ｃの上方から下方に向けて落とし錠部材１５を落とし込む。具体的には、外板部１５Ａと内板部１５Ｂの隙間に妻板１２Ｃを入れて下方へスライドさせ、中央縦スリットＳ２に中央ロック片１５Ｇを差し込み、さらに左右の縦スリットＳ１，Ｓ１に左右のロック片１５Ｆ，１５Ｆを差し込む。
【００５０】
これにより、落とし錠部材１５の外板部１５Ａと内板部１５Ｂとが底妻部１２Ｃａと側妻部１２Ｃｂ，１２Ｃｂの板面を前後両側から挟持し、これらの妻部の前後方向の展開をロックする。同時に、側妻部１２Ｃｂ，１２Ｃｂの左右の縦スリットＳ１，Ｓ１に落とし錠部材１５の左右のロック片１５Ｆ，１５Ｆが嵌合し、左右の側妻部１２Ｃｂ，１２Ｃｂの左右方向への展開をロックする。
この結果、展開シートＰ1が箱形状のままで固定されて棺本体２が完成する。そして、図１に示すように、棺本体２の上方に、予め作製した平板状の蓋３を載せることで、組立式段ボール棺１０となる。
【００５１】
一方、棺本体１２を元の展開状態に戻す場合は、妻板１２Ｃから落とし錠部材１５を引き上げて抜き取る。すると、各縦スリットＳ１，Ｓ２から各ロック片１５Ｆ，１５Ｆ，１５Ｇが抜かれて、底妻部１２Ｃａと側妻部１２Ｃｂ，１２Ｃｂが仮止め状態に戻る。この状態からパズルピース片１２ｐとパズルピース嵌合部１２ｈのかみ合いを解けば、各妻部１２Ｃａ，１２Ｃｂ，１２Ｃｂが開放されて棺本体１２が元の展開シートＰ1に戻る。
【００５２】
このように本実施形態によれば、底板１２Ａ、側板１２Ｂ，１２Ｂおよび妻板１２Ｃ，１２Ｃを含む展開シートＰ1を箱状に折り曲げ、落とし錠部材１５で固定することで、簡単な作業で迅速かつ強固に棺本体１２を組み立てることができる。
例えば、展開シートＰ1と蓋１３とを積み重ねて保管しておき、必要時に必要な個数だけその場で組み立てて使用するといったことも可能になる。棺本体１２の組み立て作業は、接着剤を使用することなく行うことができるため、組み立て作業を極めて短時間にすることができる。
【００５３】
また、一旦、棺本体１２を組み立てた後でも、妻板１２Ｃから落とし錠部材１５を上方に引き抜くだけで元の展開シートＰ1に戻すことができる。このため、必要に応じて何度でも棺本体１２の組立および展開の作業を繰り返すことができ、使い勝手が大幅に向上する。
【００５４】
さらに、段ボール棺１０によれば、落とし錠部材１５が左右対称な関係に形成されるため、外板部１５Ａと内板部１５Ｂとを逆にしても、妻板１２Ｃに落とし錠部材１５を落とし込むことができる。このため、落とし錠部材１５の向きを気にせず、棺本体１２の組み立てを行うことができる。
【００５５】
［第２実施形態］
次に、本発明の第２実施形態を図１０〜図１２に示した。
第２実施形態の組立式段ボール棺は、第１実施形態の妻板１２Ｃおよび落とし錠部材１５に代えて、妻板２２Ｃおよび落とし錠部材２５を採用したものである。
【００５６】
図１０に示すように、妻板２２Ｃは、等辺台形の底妻部２２Ｃａと、この左右の傾斜辺に隣接する側妻部２２Ｃｂ，２２Ｃｂとから形成される。これらの妻部に囲まれた部分には、矩形の空間Ｍが開口している。そして、側妻部２２Ｃｂ，２２Ｃｂの先端内側には、上下方向に連なる一定幅の縦レール２２Ｄ，２２Ｄが形成される。
【００５７】
落とし錠部材２５は、矩形の平板部２５Ａと、その両端部に設けられたフック部２５Ｂとを備えている。平板部２５Ａとフック部２５Ｂの上方には、矩形の天板２５Ｄが固定される。天板２５Ｄは、妻板２２Ｃに落とし錠部材２５を落とし込んだ状態で、段差部Ｒ３に嵌って棺本体１２の上端に連なる。すなわち、落とし錠部材２５の嵌め合わせ部分を上方から隠して棺本体１２の見栄えをよくする役割を果たす。
落とし錠部材１５の縦・横寸法は、妻板２２Ｃよりも小さく、その矩形の空間Ｍよりも大きく設定される。
【００５８】
図１１に示すように、フック部２５Ｂ，２５Ｂは、縦レール２２Ｄ，２２Ｄと等しい間隔に保たれて、それぞれ平面方向から観て妻板２２Ｃの縦レール２２Ｄ，２２Ｄの周囲を囲むように鈎形に屈曲している。フック部２５Ｂ，２５Ｂの縦レール２２Ｄ，２２Ｄを囲む部分には、上下方向にレール溝Ｓ４，Ｓ４が平行に延びている。
【００５９】
図１２に示すように、落とし錠部材２５の下端部には係止部２５Ｃが形成される。この係止部２５Ｃは、横断面が下向きコの字状になって平板部２５Ａの下端左右に連なっている。係止部２５Ｃの下向きの隙間は、底妻部２２Ｃａの厚みが収まる広さになっている。
【００６０】
第２実施形態の棺本体１２を組み立てる場合、図１０に示すように、底板１２Ａに対して底妻部２２Ｃａを垂直に折り曲げ、左右の側板１２Ｂ，１２Ｂに対して左右の側妻部２２Ｃｂ，２２Ｃｂを垂直に折り曲げる。そして、底妻部２２Ｃａと左右の側妻部２２Ｃｂ，２２Ｃｂとを隣接させて妻板２２Ｃの板面を同一平面上に保つ。
【００６１】
次いで、縦レール２２Ｄ，２２Ｄにフック部２５Ｂ，２５Ｂのレール溝Ｓ４，Ｓ４を嵌めて、妻板２２Ｃの上方から下方へ落とし錠部材２５を落とし込み、底妻部２２Ｃａの上端に係止部２５Ｃを嵌める。すると、図１１および図１２に示すように、底妻部２２Ｃａと左右の側妻部２２Ｃｂ，２２Ｃｂとの妻板２２Ｃの前後方向および左右方向への展開が落とし錠部材２５によってロックされる。
【００６２】
一方、第２実施形態の棺本体１２を元の展開状態に戻すときには、第１実施形態と同様に、落とし錠部材２５を妻板２２Ｃの上方に引き抜けば、底妻部２２Ｃａと左右の側妻部２２Ｃｂ，２２Ｃｂとのロックが解除されて、底板１２Ａ、側板１２Ｂ，１２Ｂおよび妻板２２Ｃ，２２Ｃが外側に開いて元の展開シートに戻る。
【００６３】
このように第２実施形態の段ボール棺によっても、落とし錠部材２５を用いることで、展開シートから箱状の棺本体１２を強固に組み立てることができる。組立作業には、接着剤を使用しなくともよいから、作業時間の短縮を図りやすく、必要時に迅速に段ボール棺を組み立てることが可能になる。
また、妻板２２Ｃから落とし錠部材２５を引き抜けば、簡単に底妻部２２Ｃａと左右の側妻部２２Ｃｂ，２２Ｃｂとのロックを外して棺本体１２を元の展開シートに戻すことができ、不要な段ボール棺の収納・保管・運搬といった管理も極めて簡単に行うことができる。
また、第２実施形態では、妻板２２Ｃの矩形の空間Ｍを落とし錠部材２５で塞ぐため、底妻部２２Ｃａおよび左右の側妻部２２Ｃｂ，２２Ｃｂの板面積が少なくて済み、段ボール材を節約して製造コストを抑えることができる。
【００６４】
［変形例］
以上、第１および第２実施形態を説明したが、本発明の実施形態はこれらに限定されることなく、下記の通り種々の変形・変更を伴ってもよい。
【００６５】
（１）パズルピース片とパズルピース嵌合部の形状
パズルピース片とパズルピース嵌合部の形状については、第１実施形態の形状に限られず、その位置や形状を適宜変更してもよい。例えば図１３に示した第１実施形態の変形例では、底妻部１２Ｃａと左右の側妻部１２Ｃｂ，１２Ｃｂの隣接部分の上端に、下側部分のみ嵌り合うパズルピース片３１ｐおよびパズルピース嵌合部３１ｈを配置している。
【００６６】
このような構成では、パズルピース片３１ｐとパズルピース嵌合部３１ｈとが互いに嵌合しやすいため、底妻部１２Ｃａと側妻部１２Ｃｂ，１２Ｃｂとの仮固定が行いやすくなって、棺本体１２の組み立て作業をさらに迅速に行うことが可能になる。
【００６７】
（２）展開シートの折畳み用切り込み
展開シートには、適当な位置に折畳み用の切り込みを入れてもよい。
例えば図６に示す展開シートＰ1において、片方の側板１２Ｂおよび側妻部１２Ｃｂに、その縦Ｖ溝ｙ１の中心から段ボール板の板厚に相当する距離を保って切り込みＺ（図６二点鎖線参照）を入れる。切り込みＺは、強化段ボール板の外側の一層（ライナー）のみを残して他の層を切断して形成する。
【００６８】
このような構成によれば、図１４矢印に示すように、枠板１２Ｄを拡げた状態で、一方の側板１２Ｂと側妻部１２Ｃｂとを外向きに折返し、他方の側板１２Ｂと側妻部１２Ｃｂとを、切り込みＺにより段ボール板の板厚分だけズレた位置で折り返すことができる。すなわち、底板１２Ａの下側に左右の側板１２Ｂ，１２Ｂおよび側妻部１２Ｃｂ，１２Ｃｂを互い違いに折り畳んで重ねることができる。
これにより、底板１２Ａの板幅の範囲内で、展開シートＰ1を段ボール板３枚分の厚みで折り畳んでコンパクトにまとめることができ、段ボール棺１０の保管や運搬を行いやすくすることができる。
【００６９】
（３）落とし錠部材の天板構造
第２実施形態の構成では、落とし錠部材２５の本体部と天板２５Ｄとを別部品として合体させているが、一枚の段ボール板にこれらの部品を一体的に形成してもよい。
この場合、図１５に示すように、落とし錠部材２５の上部にＶ溝を隔てて天板２５Ｄを形成する。落とし錠部材２５の平板部２５Ａに対し天板２５Ｄを垂直に折り曲げてフック部２５Ｂの上端に貼り付ける。
このような構成によれば、落とし錠部材２５の外側に天板２５Ｄの切れ目が露出しないため、天板２５Ｄの固定強度が高まるとともに、棺本体１２の見栄えがさらに向上する。
【００７０】
（４）フック部の構造
また、第２実施形態の構成において、左右のフック部２５Ｂ，２５Ｂを一枚の段ボール板により連結する構成としてもよい。
例えば、図１６に示すように、落とし錠部材３５は、外板部３５Ａと内板部３５Ｂの間に架橋板部３５Ｃが挟まれて接着される。内板部３５Ｂの両端では、フック部３５Ｄ，３５ＤがＶ溝に沿って内向きに折り曲げられて接着される。
このよう構成によれば、フック部を有する落とし錠部材を、段ボール板により簡単に作製することが可能になる。
【００７１】
（５）縦レールとフック部との位置関係
また、第２実施形態の構成では、側妻部２２Ｃｂに縦レール２２Ｄを設け、落とし錠部材２５にフック部２５Ｂを設けているが、これらの位置関係は特に限定されない。例えば、側妻部２２Ｃｂにフック部を設け、落とし錠部材２５に縦レールを設けてもよい。
【００７２】
（６）その他の変形例
第１実施形態において、落とし錠部材１５の中央ロック片１５Ｇと、底妻部１２Ｃａの中央縦スリットＳ２とについては必要に応じて省略してもよい。
第１および第２実施形態において、棺本体１２の枠板１２Ｄについては、必ずしも設ける必要はなく、必要に応じて省略した構成としてもよい。
第１および第２実施形態では、棺本体１２に本発明を適用しているが、蓋１３が箱状である場合には、蓋１３に本発明を適用してもよい。
また、展開シートから棺本体を組み立てる場合、その固定強度を高めるために各Ｖ溝面に接着剤を使用しても構わない。
さらに、展開シートを作製するための段ボール材は、三層強化段ボールに限られず、その他の多層段ボール材、ハニカム構造の段ボール材等を用いてもよい。
【図面の簡単な説明】
【００７３】
【図１】本発明の第１実施形態の組立式段ボール棺を示す斜視図である。
【図２】同段ボール棺を示すもので図１の［２］−［２］線断面図およびＲ部分の拡大断面図である。
【図３】同段ボール棺の妻板および落とし錠部材を示す分解斜視図である。
【図４】同段ボール棺の妻板を示す正面図である。
【図５】同段ボール棺の落とし錠部材を示すもので、（Ａ）は正面図、（Ｂ）は側面図である。
【図６】同段ボール棺の棺本体を組み立てるための展開シートを示す平面図およびその破線方向の端面図である。
【図７】同棺本体の組み立て手順を説明するもので、底妻部と左右の側妻部とを合体させる様子を示す正面図である。
【図８】同棺本体の組み立て手順を説明するもので、底妻部と左右の側妻部とを落とし錠部材で固定する前の状態を示す正面図である。
【図９】同棺本体を組み立て手順を説明するもので、底妻部と左右の側妻部とを落とし錠部材で固定した後の状態を示す正面図である。
【図１０】本発明の第２実施形態の段ボール棺を示すもので、妻板および落とし錠部材を示す斜視図である。
【図１１】同段ボール棺を示すもので、妻板と落とし錠部材との嵌合状態を示す模式平面図である。
【図１２】同段ボール棺を示すもので、図１１の［12］−［12］線模式断面図である。
【図１３】第１実施形態による妻板の変形例を示す正面図である。
【図１４】第１実施形態による展開シートの変形例を示す模式断面図である。
【図１５】第２実施形態による落とし錠部材の天板の変形例を示す斜視図である。
【図１６】第２実施形態による落とし錠部材のフック部の変形例を示す模式断面図である。
【図１７】従来の段ボール棺を示す斜視図である。
【図１８】同段ボール棺の棺本体を組み立てるための展開シートを示す平面図および破線方向の端面図である。
【符号の説明】
【００７４】
１０      段ボール棺
１２      棺本体
１３      蓋
１４      窓枠
１２Ａ    底板
１２Ｂ，１２Ｂ    側板
１２Ｃ    妻板
１２Ｃａ  底妻部
１２Ｃｂ，１２Ｃｂ  側妻部
１２Ｄ    枠板
１５      落とし錠部材
１５Ａ    外板部
１５Ｂ    内板部
１５Ｃ    架橋板部
１５Ｆ，１５Ｆ  左右のロック片
１５Ｇ    中央ロック片
Ｐ1    展開シート
Ｓ１，Ｓ１  左右の縦スリット
Ｓ２   中央縦スリット
ｘ1    横Ｖ溝
ｙ1    縦Ｖ溝
【図１】
2008272135.tif 000003
【図２】
2008272135.tif 000004
【図３】
2008272135.tif 000005
【図４】
2008272135.tif 000006
【図５】
2008272135.tif 000007
【図６】
2008272135.tif 000008
【図７】
2008272135.tif 000009
【図８】
2008272135.tif 000010
【図９】
2008272135.tif 000011
【図１０】
2008272135.tif 000012
【図１１】
2008272135.tif 000013
【図１２】
2008272135.tif 000014
【図１３】
2008272135.tif 000015
【図１４】
2008272135.tif 000016
【図１５】
2008272135.tif 000017
【図１６】
2008272135.tif 000018
【図１７】
2008272135.tif 000019
【図１８】
2008272135.tif 000020